(57)【要約】【課題】アダプターをポリプロピレンなどインキより比重の軽い軟質の合成樹脂で形成した場合においても、当該アダプターのインキ貯留部にインキを十分に貯めることができるインキ用容器を得る。【解決手段】インキ５を収容する容器本体２と、容器本体２の開口２ａを閉塞するキャップ３と、容器本体２に挿着するインキ貯留部４ｄを有したアダプター４と、を備えたインキ用容器１であって、アダプター２が、上方が開口４ａする上部インキ貯留部４ｄと下方が開口４ｅする下部インキ貯留部４ｆとを有し、下部インキ貯留部４ｆの側面にインキ流通路４ｉを設ける。【選択図】図３
2018089880.tif 000002
【特許請求の範囲】
【請求項１】
インキを収容する容器本体と、当該容器本体の開口を閉塞するキャップと、当該容器本体に挿着するインキ貯留部を有したアダプターと、を備えたインキ用容器であって、前記アダプターが、上方が開口する上部インキ貯留部と下方が開口する下部インキ貯留部とを有し、前記下部インキ貯留部の側面にインキ流通路を設けたことを特徴としたインキ用容器。
【発明の詳細な説明】
【技術分野】
【０００１】
本発明は、筆記具用のインキを収容するインキ用容器に関する。
【背景技術】
【０００２】
従来より、ペン芯の後方に装着したインキ吸入器を操作することで、インキタンク内へインキを補給する構造の万年筆は知られており、このような万年筆にインキの補給を行う場合、インキ用容器内に収容したインキの吸入が行われる。このインキ用容器は、インキ瓶とも呼ばれているように、容器本体が硬質のガラスで形成されているのが一般的である。
【０００３】
万年筆にインキを補給するには、万年筆のペン先部を容器本体内に挿入してインキを吸入して補給するが、その際、ペン先部を容器本体の内壁面に接触させることでペン体のペン先を傷めてしまうという問題があり、特許文献１（意匠登録第１１０８８５０号公報）に示されているように、容器本体内に、インキの貯留部を有した軟質の合成樹脂で形成したアダプターを挿着したインキ用容器が存在している。このアダプターは、ペン体の傷つき防止以外にも、容器本体内のインキの残量が少なくなってきた際に、容器本体にキャップをした状態で、当該容器本体を傾けたり引っ繰り返したりすることで、アダプターのインキ貯留部にインキを貯めてペン先部をインキに漬かりやすくさせ、インキの吸入を行いやすくことにも用いられる。
尚、このアダプターは、容器本体に対して、アダプターの底部を容器本体の底部内面に当接させ、且つアダプターの上部側面を容器本体の上方に形成された首部内面に接触させることで、容器本体内で起立した状態になっており、容器本体からキャップを開放した際にはアダプターの挿入口が容器本体の開口と一致しており、万年筆のペン先部を挿入口に挿入しやすくなっている。  
【０００４】
ところで、インキ瓶のようなガラス瓶では、安定感やデザイン性から底部を厚く形成することが求められているが、その形状を成形する際にブロー成形を用いることから、外面形状は一定になるものの、内面形状は一定に成形することが困難であり、特に成形時に下側となる底部の内面には、熱で軟らかくなったガラスが重力で徐々に流れてくることから、外面から内面までの距離つまり肉厚が不均一となる。
前記アダプターの長さは、容器本体における底部内面から開口までの高さで設定するが、底部が薄く形成された容器本体でアダプターの長さを設定した場合には、これを底部が厚く形成された容器本体に用いる際に、アダプターの長さが長過ぎて上端が容器本体の開口からはみ出て、キャップをしめきれずにインキ漏れが生じてしまうという大きな問題が発生することから、底部が厚く形成された容器本体に対してゆとりを持った長さでアダプターを設定（短く設定）することとなり、結果的に、アダプターの上端とキャップとの間には隙間が生じることとなる。
【０００５】
また、アダプターのインキ貯留部にインキを貯める際には、アダプターをキャップ側へ落下させて、当該アダプターの上端部全体をキャップの内面に接触させた状態にすることが、効率よくインキ貯留部にインキを貯めるために望ましいのだが、容器本体を引っ繰り返す際に、アダプターの下端部と容器本体の底部内面との間に入ったインキの表面張力で当該アダプターが当該容器本体の底部の内面に張り付き、キャップの内面とアダプターとの間に隙間があいた状態であったり、あるいは少しの時間張り付いた後にキャップ側へ落下してアダプターの上端部が傾いた状態でキャップの内面と接触してしまうことによって、当該アダプターのインキ貯留部にインキを十分に貯めることができないといった問題があった。この問題は、アダプターをキャップ側へ落下し難い軽いもので成形した場合、特にポリプロピレンなどインキより比重が軽く、言い換えるとインキに対して浮きやすい軟質の合成樹脂で形成した場合には発生する可能性が高くなった。
【先行技術文献】
【特許文献】
【０００６】
【特許文献１】意匠登録第１１０８８５０号公報
【発明の概要】
【発明が解決しようとする課題】
【０００７】
本発明では、アダプターをポリプロピレンなどインキより比重の軽い軟質の合成樹脂で形成した場合においても、当該アダプターのインキ貯留部にインキを十分に貯めることができるインキ用容器を得ることを目的とした。
【課題を解決するための手段】
【０００８】
本発明は、
「インキを収容する容器本体と、当該容器本体の開口を閉塞するキャップと、当該容器本体に挿着するインキ貯留部を有したアダプターと、を備えたインキ用容器であって、前記アダプターが、上方が開口する上部インキ貯留部と下方が開口する下部インキ貯留部とを有し、前記下部インキ貯留部の側面にインキ流通路を設けたことを特徴としたインキ用容器。」である。
【０００９】
前記発明の構成とすることにより、アダプターをポリプロピレンなどインキより比重の軽い軟質の合成樹脂で形成した場合においても、容器本体を引っ繰り返した際には、容器本体の底側にあったインキが、アダプターの下部インキ貯留部に貯留されていることから、そのインキの重みとアダプターの自重とで、アダプターの上端面がキャップの内面に接触した状態に確実に落下させることができる。
【００１０】
上部インキ貯留部と下部インキ貯留部とは、隔壁を隔てて隣接させてもよく、また連結部を介して離間させてもよいが、上部インキ貯留部の容積は、万年筆のペン先部が漬かりインキの補給を行うことができる大きさとし、下部インキ貯留部の容積は、アダプターが容器本体の底部の内面に張り付くことなく、インキの重みとアダプターの自重とで落下することができる重さのインキを貯留できる大きさとすればよい。
【００１１】
下部インキ貯留部の側面に設けるインキ流通路は、当該下部インキ貯留部の上部に形成した貫通孔で構成する。これは、容器本体を引っ繰り返した際に、貫通孔を下部インキ貯留部の下側に位置させることで、アダプターの落下を補助する際に使用された下部インキ貯留部内のインキを前記貫通孔から流出させ、このインキが容器本体の上方（開口側）へ移動することで、上部インキ貯留部へ貯めるためのインキとして使用することを可能にするためである。したがって、貫通孔の大きさや数は、容器本体を引っ繰り返した際に、下部インキ貯留部に貯留されたインキがアダプターの落下を補助するまでは流出が完了しないものとする。
尚、インキ流通路は、貫通孔以外にも、下部インキ貯留部の側壁の下方から上方へ渡り延びるスリットとしてもよいが、この場合にもスリットは、下部インキ貯留部に貯留されたインキがアダプターの落下を補助するまでは流出が完了しない大きさや数とする。
【発明の効果】
【００１２】
本発明によれば、アダプターをポリプロピレンなどインキより比重の軽い軟質の合成樹脂で形成した場合においても、当該アダプターのインキ貯留部にインキを十分に貯めることができるインキ用容器を得ることができた。
【図面の簡単な説明】
【００１３】
【図１】本実施例のインキ用容器の縦断面図である。
【図２】本実施例のアダプターの図で、図２Ａは正面図であり、図２Ｂは側面図である。
【図３】図１のインキ用容器を逆さまにした状態を示す縦断面図である。
【図４】図３のインキ用容器を元に戻した状態を示す縦断面図である。
【発明を実施するための形態】
【００１４】
以下に、添付の図面を参照して本発明の実施例を詳細に説明する。
【００１５】
図１は、本実施例のインキ容器の縦断面図であり、図２は、本実施例のアダプターの図で、図２Ａは正面図であり、図２Ｂは側面図である。
インキ用容器１は、容器本体２の開口２ａをキャップ３で閉塞しており、インキ収容部２ｂに、アダプター４と、インキ５とを収容している。
アダプター４は、上方に開口４ａを有した円筒部４ｂと当該円筒部４ｂの下方に形成した截頭円錐部４ｃとで構成した上部インキ貯留部４ｄと、下方に開口４ｅを設けた円筒形状の下部インキ貯留部４ｆとを有している。上部インキ貯留部４ｄと下部インキ貯留部４ｆとは隔壁４ｇを隔てて隣接している。
また、上部インキ貯留部４ｄの円筒部４ｂには２つの長円状の貫通孔４ｈを設けてあり、下部インキ貯留部４ｆの上部の側面にはインキ流通路として４つの貫通孔４ｉを設けてある。
図１に示すように、アダプター４の下端部４ｊが容器本体２の底部２ｃの内面に対して接触している状態では、アダプター４の上端部４ｋとキャップ３との間に隙間Ｓが形成される。
【００１６】
図３は、図１のインキ用容器１を逆さまにした状態を示す縦断面図である。
図３の状態では、インキ用容器１を逆さまにすることで、インキ５が、断面積の小さい容器本体２の首部２ｄ側へ移動すると共に、アダプター４の下部インキ貯留部４ｆ内にインキ５ａとして貯留され、アダプター４が、該アダプター４の自重と、前記下部インキ貯留部４ｆに貯留されたインキ５ａの重みとで、当該アダプター４の上端部４ｋの全周がキャップ３の内面３ａに接触した状態に、確実に落下させることができた。
図３に示すように、この状態を維持することにより、下部インキ貯留部４ｆの上部の側面に形成された貫通孔４ｉ（インキ流通路）からインキ５ａが流出され、このインキ５ａが容器本体２の上方（首部２ｄ側）へ移動してインキ５と合流し、上部インキ貯留部４ｄへ貯めるためのインキ５として使用することが可能となり、アダプター４の貫通孔４ｈより当該アダプター４の内方へインキ５を流動させ、図４のように元に戻すことで、当該アダプター４の上部インキ貯留部４ｄにインキ５ｂを貯留させることができる。
したがって、インキ５の残量が減って、容器本体２の底の方にしかインキ５が残っていなかった状態（図１参照）であっても、図３に示すように、上部インキ貯留部４ｄにインキ５ｂを貯留させることにより、万年筆のペン先部を上部インキ貯留部４ｄ内のインキ５ｂに漬かりやすくすることができる。
尚、本実施例の容器本体２は、ブロー成形を用いて形成したガラス瓶であるが、本実施例のアダプター４は、ポリプロピレンで成形してあることから、ペン先部を上部インキ貯留部４ｄに挿し込むことで、ペン体が傷つくことはない。
【符号の説明】
【００１７】
１…インキ用容器、
２…容器本体、２ａ…開口、２ｂ…インキ収容部、２ｃ…底部、２ｄ…首部、
３…キャップ、３ａ…内面、
４…アダプター、
４ａ…開口、４ｂ…円筒部、４ｃ…截頭円錐部、４ｄ…上部インキ貯留部、４ｅ…開口、４ｆ…下部インキ貯留部、４ｇ…隔壁、４ｈ…貫通孔、４ｉ…貫通孔（インキ流通路）、４ｊ…下端部、４ｋ…上端部、
５，５ａ，５ｂ…インキ。
【図１】
2018089880.tif 000003
【図２】
2018089880.tif 000004
【図３】
2018089880.tif 000005
【図４】
2018089880.tif 000006